(57)【要約】【課題】簡易な構成により受信装置内部のスプリアスの影響を除去することができる受信装置を得ること。【解決手段】マルチキャリア伝送を行う通信システムにおける受信装置であって、受信データがない状態の内部信号に基づきスプリアスを検出し、検出したスプリアスの特性を表すスプリアス情報を算出する検出処理部６３と、前記スプリアス情報に基づき受信データからスプリアス相当成分を除去するノッチフィルタ処理部６４と、を備える。【選択図】        図２
2008177842.tif 000002
【特許請求の範囲】
【請求項１】
マルチキャリア伝送を行う通信システムにおける受信装置であって、
受信データがない状態の内部信号に基づきスプリアスを検出し、検出したスプリアスの特性を表すスプリアス情報を算出するスプリアス検出手段と、
前記スプリアス情報に基づき受信データからスプリアス相当成分を除去するスプリアス除去手段と、
を備えることを特徴とする受信装置。
【請求項２】
前記スプリアス情報をスプリアスの周波数とし、
前記スプリアス除去手段を、前記スプリアス情報をノッチ周波数として設定したノッチフィルタとし、受信データをノッチフィルタによりフィルタリングすることによりスプリアス相当成分を除去することを特徴とする請求項１に記載の受信装置。
【請求項３】
前記スプリアス情報をスプリアスの周波数とし、
前記スプリアス除去手段は、前記スプリアス情報に該当する周波数領域の受信データの値をゼロに置き換えることによりスプリアス相当成分を除去することを特徴とする請求項１に記載の受信装置。
【請求項４】
前記スプリアス情報をスプリアスの周波数と電力値とし、
前記スプリアス除去手段は、前記スプリアス情報を用いて受信データを補正することにより受信データからスプリアス相当成分を除去することを特徴とする請求項１に記載の受信装置。
【請求項５】
マルチキャリア伝送を行い、自装置内部で発生するスプリアス相当成分を送信装置側で除去する通信システムにおける受信装置であって、
受信データがない状態の内部信号に基づきスプリアスを検出し、検出したスプリアスに基づきスプリアスの周波数に該当するサブキャリアをスプリアス情報として求めるスプリアス検出手段と、
前記スプリアス情報を前記送信装置に送信するスプリアス情報送信手段と、
を備えることを特徴とする受信装置。
【請求項６】
マルチキャリア伝送を行う通信システムにおける送信装置であって、
請求項５に記載の受信装置から送信された前記スプリアス情報を受信するスプリアス情報受信手段と、
前記スプリアス情報に含まれるサブキャリアを用いずにデータを送信する送信手段と、
を備えることを特徴とする送信装置。
【請求項７】
請求項５に記載の受信装置と、
請求項６に記載の送信装置と、
を備えることを特徴とする通信システム。
【発明の詳細な説明】
【技術分野】
【０００１】
本発明は、３ＧＰＰ（3rd  Generation  Partnership  Project）におけるＬＴＥ（Long  Term  Evolution：Super３Ｇ），ＯＦＤＭ（Orthogonal  Frequency  Division  Multiplexing）等のマルチキャリア伝送を行う受信装置、送信装置および通信システムに関するものであり、特に、内部で発生するスプリアスの影響を除去する受信装置、送信装置および通信システムに関するものである。
【背景技術】
【０００２】
従来、無線通信システムにおいて、受信装置内部で発生するスプリアスは受信性能の劣化を生じる原因となっている。特に、ＬＴＥのDownlink等のようにマルチキャリア伝送を行う通信装置では、周波数帯域を複数のサブキャリアに分割して送信を行うため、サブキャリアの周波数と受信装置内部で発生するスプリアスの周波数が一致する場合には受信性能の劣化が顕著である。
【０００３】
一方、下記特許文献１では、受信装置内部のスプリアスに限らず受信データ信号に含まれる妨害波を除去する方法が開示されている。下記特許文献１では、受信データ信号をＦＦＴ（Fast  Fourier  Transform）し、ＦＦＴ後の信号周波数領域で妨害を検知し、妨害周波数が存在する位置にノッチフィルタを適用することにより妨害波を除去する。
【０００４】
【特許文献１】特開２００６−１７４２１８号公報
【発明の開示】
【発明が解決しようとする課題】
【０００５】
しかしながら、上記特許文献１の技術によれば、信号の受信時に受信データ信号を用いて妨害波の周波数を算出している。そのため、妨害波の検出を行う処理部の構成が複雑で、また、受信時の処理負荷が高いという問題があった。
【０００６】
本発明は、上記に鑑みてなされたものであって、簡易な構成により受信装置内部のスプリアスの影響を除去し、受信性能を向上させることができる受信装置を得ることを目的とする。
【課題を解決するための手段】
【０００７】
上述した課題を解決し、目的を達成するために、本発明は、マルチキャリア伝送を行う通信システムにおける受信装置であって、受信データがない状態の内部信号に基づきスプリアスを検出し、検出したスプリアスの特性を表すスプリアス情報を算出するスプリアス検出手段と、前記スプリアス情報に基づき受信データからスプリアス相当成分を除去するスプリアス除去手段と、を備えることを特徴とする。
【発明の効果】
【０００８】
この発明によれば、通信装置内部で発生するスプリアスの検出処理をデータ信号受信前に行い、検出したスプリアスを除去するようにしたので、簡易な構成により受信装置内部のスプリアスの影響を除去することができ、かつ、受信性能を向上させることができるという効果を奏する。
【発明を実施するための最良の形態】
【０００９】
以下に、本発明にかかる受信装置、送信装置および通信システムの実施の形態を図面に基づいて詳細に説明する。なお、この実施の形態によりこの発明が限定されるものではない。
【００１０】
実施の形態１．
図１は、本発明にかかる受信装置２を含む実施の形態１のシステム構成例を示す図である。本実施の形態では、マルチキャリア伝送を行う送信装置１から送信された信号を受信装置２が受信する。送信装置１は、送信データを生成するデータ生成部３と、送信データに対して符号化処理を行う符号化部４と、符号化処理された送信データを変調する変調部５と、で構成される。なお、本実施の形態では、送信装置１については、送信データを符号化および変調して無線送信するものであれば、図１の構成に限らずどのような構成でもよい。
【００１１】
受信装置２は、スプリアスを検出し、検出したスプリアスの周波数をノッチ周波数としてノッチフィルタを用いて受信データ（受信装置２内部で発生するスプリアスを含む送信データ）のフィルタリング処理を行うことにより、スプリアス相当成分を除去するスプリアス検出処理部６と、フィルタリング処理後の受信データを復調する復調部７と、復調後のデータを復号する復号化部８と、復号後のデータに対して必要なデータ処理を行うデータ処理部９と、で構成される。なお、図示していないが、受信装置２は、スプリアス検出処理部６の前段に、無線信号の受信を行うアンテナなどの受信機能部を有している。
【００１２】
図２は、本実施の形態のスプリアス検出処理部６と復調部７の機能構成例を示す図である。スプリアス検出処理部６は、入力データの出力先の切り替えを行うことによりスプリアス検出処理のＯＮとＯＦＦを切り替えるスプリアス検出処理切替部６１と、データ受信前の外部入力の無い状態の信号に対してＦＦＴ処理を行うＦＦＴ（Fast  Fourier  Transform）処理部６２と、周波数領域でスプリアスを検出する検出処理部６３と、検出処理部６３において検出されたスプリアスに該当する周波数をノッチ周波数とし、受信データに対してノッチ周波数が可変な可変ノッチフィルタを用いてフィルタリング処理を行うノッチフィルタ処理部６４と、で構成される。また、復調部７は、ノッチフィルタ処理部６４でフィルタリング処理された受信データに対してＦＦＴ処理を行うＦＦＴ処理部７１と、ＦＦＴ処理部７１によりＦＦＴ処理後の受信データを復調する復調処理部７２と、で構成される。
【００１３】
また、図２のＡは、検出される内部信号（受信データがない状態における信号）のスプリアスを模式的に示したものであり、Ｂは、スプリアスの除去されたＦＦＴ処理後の受信データを模式的に示したものである。このように、本実施の形態では受信データからスプリアスに相当する周波数成分が除去される。
【００１４】
つづいて、本実施の形態のスプリアス検出処理について説明する。スプリアス検出処理は、データを受信する前（受信データのない状態）に、受信装置２内部で発生する内部信号に対してスプリアスを検出する処理である。まず、スプリアス検出処理部６のスプリアス検出処理切替部６１は、受信データがない（入力されたデータが受信データではなく内部信号である）と判断すると、入力された内部信号をＦＦＴ処理部６２へ送信することにより、スプリアス検出処理をＯＮとする。つぎに、ＦＦＴ処理部６２は、入力された内部信号に対してＦＦＴ処理を行う。そして、検出処理部６３は、ＦＦＴ処理後の内部信号に基づきスプリアスを検出し、ノッチフィルタ処理部６４へ検出したスプリアスの周波数を通知する。ノッチフィルタ処理部６４は、可変ノッチフィルタのノッチ周波数を通知されたスプリアスの周波数に設定する。スプリアスの検出方法としては、たとえば、ある一定以上の出力となる部分を検出し、その一定以上の出力となる周波数を求める方法がある。
【００１５】
つづいて、本実施の形態のスプリアス除去処理について説明する。スプリアス除去処理は、受信データから、スプリアス検出処理で検出されたスプリアス相当成分を除去する処理である。ここでは、スプリアス除去処理の前に、前述のスプリアス検出処理が行われているものとする。まず、スプリアス検出処理部６のスプリアス検出処理切替部６１は、入力データが受信データであると判断すると、入力されたデータをノッチフィルタ処理部６４に出力するとともに、スプリアス検出処理をＯＦＦとする。
【００１６】
つぎに、ノッチフィルタ処理部６４は、スプリアス検出処理切替部６１から入力された受信データに対してノッチフィルタを適用してフィルタリングを行う。ノッチフィルタでは、前述のスプリアス検出処理によってスプリアスの周波数がノッチ周波数として設定されているため、フィルタリング後の受信データから、スプリアス周波数に該当する成分が除かれることになる。つぎに、復調部７のＦＦＴ処理部７１は、フィルタリングされた受信データに対してＦＦＴ処理を行い、復調処理部７２に出力する。そして、復調処理部７２では、ＦＦＴ処理後の受信データを復調する。
【００１７】
なお、本実施の形態では、スプリアス検出処理切替部６１が、入力データが受信データであるか否かを判断してスプリアス検出処理のＯＮとＯＦＦを切り替えるようにしたが、スプリアス検出処理切替部６１が外部からの信号を受け付けることにより、スプリアス検出処理のＯＮとＯＦＦを切り替えるようにしてもよい。また、たとえば、初期設定としては受信データを受信せずにスプリアス検出処理切替部６１がスプリアス検出処理をＯＮとし、スプリアス検出処理に必要な時間が経過した後にスプリアス検出処理切替部６１が自動的にスプリアス検出処理をＯＦＦするようにしてもよい。逆に、初期設定としてはスプリアス検出処理切替部６１がスプリアス検出処理をＯＦＦとし、スプリアス検出処理が必要な場合にのみ、外部からの指示によりＯＮとするようにしてもよい。ただし、いずれの場合も、スプリアス検出処理をＯＮとする場合には、受信データのスプリアス検出処理部６への入力が停止されている必要がある。
【００１８】
以上のように、本実施の形態では、スプリアス検出処理部６が受信データの受信前に、自装置内で発生するスプリアスの周波数を検出し、その周波数をノッチ周波数として設定し、ノッチフィルタ処理部６４が受信データに対してスプリアスの周波数に相当する成分を除去するようにした。このため、受信データの受信中に複雑な処理を行う必要がなく、スプリアス検出処理部６の構成を簡易にすることができ、簡易な構成で受信性能を向上させることができる。
【００１９】
実施の形態２．
図３は、本発明にかかる受信装置の実施の形態２のスプリアス検出処理部６ａと復調部７ａの機能構成例を示す図である。本実施の形態の受信装置の機能構成は、実施の形態１の受信装置２のスプリアス検出処理部６と復調部７をそれぞれスプリアス検出処理部６ａと復調部７ａに替える以外は実施の形態１の受信装置と同様である。また、送信装置は実施の形態１の送信装置１と同様である。以下、実施の形態１と異なる部分について説明する。
【００２０】
図３に示すように、本実施の形態のスプリアス検出処理部６ａは、検出処理部６３を検出処理部６３ａに替える以外は実施の形態１のスプリアス検出処理部６と同様である。また、本実施の形態の復調部７ａは、スプリアスの周波数に該当するサブキャリアに対してゼロ処理（設定した周波数の値を“０”に置き換える）を行うことによりスプリアス相当成分を除去するサブキャリアゼロ処理部７３を追加する以外は実施の形態１の復調部７と同様である。実施の形態１と同一の機能のものは、同一の符号を付して説明を省略する。
【００２１】
また、図３のＡは、検出される内部信号のスプリアスを模式的に示したものであり、Ｃは、スプリアスの除去されたＦＦＴ処理後の受信データを模式的に示したものである。このように、本実施の形態では受信データからスプリアスに相当する周波数成分が除去される。
【００２２】
つづいて、本実施の形態のスプリアス検出処理について説明する。本実施の形態のスプリアス検出処理におけるスプリアス検出処理切替部６１とＦＦＴ処理部６２の動作は実施の形態１におけるスプリアス検出処理の動作と同様である。検出処理部６３ａは、ＦＦＴ処理部６２によるＦＦＴ処理後の内部信号に基づきスプリアスを検出し、スプリアスの周波数を復調部７ａのサブキャリアゼロ処理部７３に通知する。つぎに、サブキャリアゼロ処理部７３は、通知されたスプリアス周波数に該当するサブキャリアを、ゼロ処理対象サブキャリアとして設定する。
【００２３】
つづいて、本実施の形態のスプリアス除去処理について説明する。本実施の形態のスプリアス除去処理におけるスプリアス検出処理部６ａのスプリアス検出処理切替部６１，復調部７ａの復調処理部７２の動作は実施の形態１における動作と同様である。まず、スプリアス検出処理切替部６１が、実施の形態１と同様にスプリアス検出処理をＯＦＦとするが、このときのデータの出力先は実施の形態１と異なり復調部７ａのＦＦＴ処理部７１ａとする。
【００２４】
つぎに、復調部７ａのＦＦＴ処理部７１ａは、スプリアス検出処理切替部６１から出力された受信データに対してＦＦＴ処理を行い、サブキャリアゼロ処理部７３にＦＦＴ処理後の受信データを出力する。つぎに、サブキャリアゼロ処理部７３は、ＦＦＴ処理後の受信データの前述のスプリアス検出処理により設定されたゼロ処理対象サブキャリアに相当する周波数領域の電力値を“０”に置き換え、復調処理部７２に出力する。
【００２５】
以上のように、本実施の形態では、スプリアス検出処理部６ａが受信データの受信前に、自装置内で発生するスプリアスの周波数を検出し、その周波数に対応するサブキャリアをゼロ処理サブキャリアとして設定し、サブキャリアゼロ処理部７３が受信データに対してゼロ処理サブキャリアの電力値を“０”に置き換えるようにした。このため、ノッチフィルタを使用する必要が無いため、実施の形態１に比べ、より簡易な構成とすることができる。
【００２６】
実施の形態３．
図４は、本発明にかかる受信装置の実施の形態３のスプリアス検出処理部６ｂと復調部７ｂの機能構成例を示す図である。本実施の形態の受信装置の機能構成は、実施の形態１の受信装置２のスプリアス検出処理部６と復調部７をそれぞれスプリアス検出処理部６ｂと復調部７ｂに替える以外は実施の形態１の受信装置と同様である。また、送信装置は実施の形態１の送信装置１と同様である。以下、実施の形態１または実施の形態２と異なる部分について説明する。
【００２７】
図４に示すように、本実施の形態のスプリアス検出処理部６ｂは、検出処理部６３ａを検出処理部６３ｂに替える以外は実施の形態２のスプリアス検出処理部６ａと同様である。また、本実施の形態の復調部７ｂは、サブキャリアゼロ処理部７３をスプリアスの周波数と電力値に基づき受信データを補正することにより受信データからスプリアス相当成分を除去するサブキャリア補正処理部７４に替える以外は実施の形態２の復調部７ａと同様である。実施の形態１または実施の形態２と同一の機能のものは、同一の符号を付して説明を省略する。
【００２８】
また、図４のＡは、検出される内部信号のスプリアスを模式的に示したものであり、Ｄは、サブキャリアの補正処理後の受信データを模式的に示したものである。点線は、補正前の受信データを示しており、実線は、サブキャリアの補正処理後の受信データを示している。
【００２９】
つづいて、本実施の形態のスプリアス検出処理について説明する。本実施の形態のスプリアス検出処理におけるスプリアス検出処理切替部６１とＦＦＴ処理部６２の動作は、実施の形態１のスプリアス検出処理における動作と同様である。検出処理部６３ｂは、ＦＦＴ処理部６２によるＦＦＴ処理後の内部信号に基づきスプリアスを検出し、スプリアスの周波数と電力値を復調部７ｂのサブキャリア補正処理部７４に通知する。つぎに、サブキャリア補正処理部７４は、通知されたスプリアス周波数と電力値を補正情報として設定する。
【００３０】
つづいて、本実施の形態のスプリアス除去処理について説明する。本実施の形態のスプリアス除去処理におけるスプリアス検出処理部６ｂのスプリアス検出処理切替部６１，復調部７ａの復調処理部７２の動作は実施の形態１における動作と同様である。また、ＦＦＴ処理部７１ａの動作は、出力先をサブキャリア補正処理部７４とする以外は実施の形態２と同様である。
【００３１】
スプリアス検出処理切替部６１から入力されＦＦＴ処理部７１ａで処理された受信データは、サブキャリア補正処理部７４に入力される。サブキャリア補正処理部７４は、ＦＦＴ処理部７１ａから出力されたＦＦＴ処理後の受信データに対してスプリアス検出処理によって設定された補正情報に基づいてスプリアス成分を除去するよう補正を行う。補正方法としては、たとえば、スプリアス周波数と電力に相当する領域をＦＦＴ処理後の受信データから減算する。
【００３２】
以上のように、本実施の形態では、スプリアス検出処理部６ｂが受信データの受信前に、自装置内で発生するスプリアスの周波数と電力値を検出して補正情報として設定し、サブキャリア補正処理部７４が受信データに対して補正情報を用いてスプリアスの周波数に該当するサブキャリアの周波数の電力値を補正するようにした。このため、スプリアスの周波数に該当するサブキャリアに対するスプリアス除去処理を、実施の形態１に比べより簡易な構成で実現でき、かつ、実施の形態１および実施の形態２に比べより高い精度で実現できるので、受信性能をさらに向上させることができる。
【００３３】
実施の形態４．
図５は、本発明にかかる通信システムの実施の形態４の構成例を示す図である。図５に示すように、本実施の形態の送信装置１ａは、実施の形態１の送信装置１に、受信装置２ａから送信されるスプリアス情報を受信して処理するスプリアス情報受信部１１を追加している。それ以外は実施の形態１の送信装置１と同様である。また、本実施の形態の受信装置２ａは、実施の形態１の受信装置２にスプリアス情報を送信装置２ａに送信するスプリアス情報送信部１０を追加し、実施の形態１のスプリアス検出処理部６をスプリアス検出処理部６ｃに替えている。それ以外は、実施の形態１の受信装置２と同様である。実施の形態１と同様の機能のものは、同一の符号を付して説明を省略する。なお、図示していないが、受信装置２ａは、実施の形態１と同様に、スプリアス検出処理部６の前段に無線信号の受信を行うアンテナなどの受信機能部を有している。以下、実施の形態１と異なる部分について説明する。
【００３４】
図６は、スプリアス検出処理部６ｃの内部構成例を示す図である。スプリアス検出処理部６ｃは、実施の形態１のスプリアス検出処理部６からノッチフィルタ処理部６４を削除している。実施の形態１と同様の機能のものは、同一の符号を付して説明を省略する。
【００３５】
つづいて、本実施の形態の動作について説明する。図７は、受信装置２ａの動作を示すフローチャートである。図８は、送信装置１ａの動作を示すフローチャートである。
【００３６】
図７に示すように、まず、受信装置２ａの受信機能部が受信動作を行い（ステップＳ１０）、受信データがある場合にはスプリアス検出処理部６ｃに受信データを送出する。つぎに、スプリアス検出処理部６ｃのスプリアス検出処理切替部６１は、受信データがあるか否かの判断をする（ステップＳ１１）。受信データがあると判断した場合には（ステップＳ１１  Ｙｅｓ）、受信データを復調部７に送出してステップＳ１２に進む。受信データが無い場合には（ステップＳ１１  Ｎｏ）、内部信号をＦＦＴ処理部６２に出力し、ステップＳ１３に進む。
【００３７】
ステップＳ１２では、受信データ処理を行う（ステップＳ１２）。具体的には、復調部７のＦＦＴ処理部７１が、受信データに対してＦＦＴ処理を行い、復調処理部７２に出力する。そして、復調処理部７２では、ＦＦＴ処理後の受信データの復調を行う。
【００３８】
ステップＳ１３では、ＦＦＴ処理部６２が、入力された内部信号に対してＦＦＴ処理を行う。そして、検出処理部６３は、ＦＦＴ処理後の内部信号に基づきスプリアスを検出し（ステップＳ１４）、スプリアスが検出されなかった場合には（ステップＳ１４  Ｎｏ）、処理を終了する（ステップＳ１５）。検出処理部６３が、スプリアスを検出した場合には（ステップＳ１４  Ｙｅｓ）、スプリアス情報送信部へスプリアスの周波数を通知する。そして、スプリアス情報送信部１０が、スプリアスの周波数に該当するサブキャリアを求め、そのサブキャリアの情報を送信装置１ａへスプリアス情報として送信し（ステップＳ１６）、送信終了後に処理を終了する（ステップＳ１７）。
【００３９】
つづいて、図８に示す送信装置１ａの動作を説明する。まず、送信装置１ａのスプリアス情報受信部１１は、受信装置２ａから送信されるスプリアス情報を受信し、受信した場合には受信したスプリアス情報を保持しているものとする。送信装置１ａのデータ生成部３が送信データを生成し（ステップＳ２０）、符号化部４へ送出する。つぎに、スプリアス情報受信部１１は、スプリアス情報を保持している（受信済み）か否かを判断する（ステップＳ２１）。スプリアス情報を保持している場合には（ステップＳ２１  Ｙｅｓ）、スプリアス情報に含まれるスプリアスの周波数に該当するサブキャリアのデータ送信ＯＦＦを符号化部４に指示し（ステップＳ２２）、ステップＳ２３に進む。スプリアス情報を保持していない場合には（ステップＳ２１  Ｎｏ）、ステップＳ２３に進む。
【００４０】
ステップＳ２３では、データ処理として、符号化部４が送信データの符号化を行い、変調部５が符号化された送信データを変調する（ステップＳ２３）。このとき、符号化部４および変調部５は、スプリアス情報受信部１１からステップＳ２２によりスプリアスの周波数に該当するサブキャリアのデータ送信ＯＦＦの指示を受けている場合には、該当するサブキャリアに送信データを割り当てないようにデータ処理を行う（ステップＳ２３）。そして、送信装置１ａは変調後の送信データを無線回線に送信し（ステップＳ２４）、処理を終了する（ステップＳ２５）。
【００４１】
なお、受信装置２ａでは、受信データ処理（ステップＳ１２）において、送信装置１ａが、どのサブキャリアの送信をＯＦＦ（以下、サブキャリアＯＦＦ情報という）としたかを知る必要があるが、たとえば、送信装置１ａから送信するデータにサブキャリアＯＦＦ情報を含めるようにする。そして、受信装置２ａは、受信データに含まれるサブキャリアＯＦＦ情報に基づき受信データ処理を行うようにすればよい。また、スプリアスの周波数が変化しないと想定される場合には、受信装置２ａのスプリアス情報送信部１０が求めたスプリアス情報を、受信データ処理で用いるようにしてもよい。
【００４２】
以上のように、本実施の形態では、受信装置２ａがスプリアスを検出して、スプリアスの周波数に該当するサブキャリアをスプリアス情報として送信装置１ａに送信し、送信装置１ａが、スプリアス情報に基づいてスプリアスに該当するサブキャリアをデータ送信に用いないようにした。このため、スプリアスの影響のない周波数で通信を行うことができるため、実施の形態１および実施の形態２に比べ、受信性能が向上する。また、受信装置２ａは、受信データに対するスプリアス除去処理の必要がなくなり、実施の形態１に比べ、簡易な構成とすることができる。
【産業上の利用可能性】
【００４３】
以上のように、本発明にかかる受信装置および送信装置は、マルチキャリア伝送を行う通信システムに有用であり、特に、高受信性能を要求される通信システムに適している。
【図面の簡単な説明】
【００４４】
【図１】本発明の実施の形態１の受信装置の機能構成例を示す図である。
【図２】実施の形態１のスプリアス検出処理部と復調部の内部構成例を示す図である。
【図３】実施の形態２のスプリアス検出処理部と復調部の内部構成例を示す図である。
【図４】実施の形態３のスプリアス検出処理部と復調部の内部構成例を示す図である。
【図５】実施の形態４の受信装置および送信装置の機能構成例を示す図である。
【図６】実施の形態４のスプリアス検出処理部の内部構成例を示す図である。
【図７】実施の形態４の受信装置の動作のフローチャートである。
【図８】実施の形態４の送信装置の動作のフローチャートである。
【符号の説明】
【００４５】
１  送信装置
２  受信装置
３  データ生成部
４  符号化部
５  変調部
６，６ａ，６ｂ，６ｃ  スプリアス検出処理部
７，７ａ，７ｂ  復調部
８  復号化部
９  データ処理部
６１  スプリアス検出処理切替部
６２，７１，７１ａ  ＦＦＴ処理部
６３，６３ａ，６３ｂ  検出処理部
６４  ノッチフィルタ処理部
７２  復調処理部
７３  サブキャリアゼロ処理部
７４  サブキャリア補正処理部
【図１】
2008177842.tif 000003
【図２】
2008177842.tif 000004
【図３】
2008177842.tif 000005
【図４】
2008177842.tif 000006
【図５】
2008177842.tif 000007
【図６】
2008177842.tif 000008
【図７】
2008177842.tif 000009
【図８】
2008177842.tif 000010